(57)【要約】【課題】検体希釈機構を備える自動分析装置において、希釈容器を介したキャリーオーバーを回避することができる自動分析装置を提供することを目的とする。【解決手段】本発明の自動分析装置は、前処理容器についてキャリーオーバー回避が必要となる条件を含む回避情報を記憶する回避情報記憶部と、検体分注ノズルが検体を分注する予定の前処理容器において前後して分注される検体の情報と前記回避情報に基づいて、キャリーオーバー回避の要否を判断して回避指令を発生する回避判断部と、前記回避判断部からの前記回避指令に基づき、前記検体分注ノズルが当該前処理容器への検体の分注を見送るように、前記検体分注ノズルを制御する回避制御部と、を備えることを特徴とする。【選択図】図１
2019211329.tif 000002
【特許請求の範囲】
【請求項１】
検体を収容する検体容器を複数保持する検体テーブルと、
前記検体に対して前処理を施した前処理検体を収容する前処理容器を複数保持する前処理テーブルと、
前記前処理検体と試薬を反応させる反応容器を複数保持する反応テーブルと、
前記試薬を収容する試薬容器を複数保持する試薬テーブルと、
前記検体テーブルに保持された検体容器から前記前処理テーブルに保持された前処理容器へ検体を移送するための検体分注ノズルと、
前記前処理テーブルに保持された前処理容器から前記反応テーブルに保持された反応容器に前処理検体を移送するための前処理検体分注ノズルと、
前記試薬テーブルから試薬を前記反応容器に移送するための試薬分注ノズルと、を備え、
前記前処理容器内で検体に対して前処理を施し、得られた前処理検体と試薬とを前記反応容器内で反応させ、前記検体中の成分を分析する自動分析装置において、
前記前処理容器についてキャリーオーバー回避が必要となる条件を含む回避情報を記憶する回避情報記憶部と、
前記前処理容器に過去に分注された検体に関する、検体材料の種類と分析依頼された検査項目の種類とを含む情報を記憶する、前処理容器使用履歴記憶部と、
新たに分析依頼された検体に関する、検体材料の種類と分析依頼された検査項目の種類とを含む情報を記憶する、分析依頼情報記憶部と、
前記前処理容器使用履歴記憶部と前記分析依頼情報記憶部とに記憶された、前記検体分注ノズルが検体を分注する予定の前処理容器において前後して分注される検体の情報と、前記回避情報に基づいて、回避の要否を判断して回避指令を発生する回避判断部と、
前記回避判断部からの前記回避指令に基づき、前記検体分注ノズルが当該前処理容器への検体の分注を見送るように、前記検体分注ノズルを制御する回避制御部と、
を備えることを特徴とする自動分析装置。
【請求項２】
請求項１記載の自動分析装置において、
前記回避情報記憶部は、前記回避情報のうちのキャリーオーバー回避が必要となる条件として検体材料の種類の組み合わせを記憶し、
前記回避判断部は、前記前処理容器使用履歴記憶部と前記分析依頼情報記憶部とに記憶された、前記検体分注ノズルが検体を分注する予定の前処理容器において前後して分注される検体の検体材料の種類と、前記回避情報に基づいて、回避の要否を判断して回避指令を発生することを特徴とする自動分析装置。
【請求項３】
請求項１記載の自動分析装置において、
前記回避情報記憶部は、前記回避情報のうちのキャリーオーバー回避が必要となる条件として検査項目の種類を記憶し、
前記回避判断部は、前記前処理容器使用履歴記憶部と前記分析依頼情報記憶部とに記憶された、前記検体分注ノズルが検体を分注する予定の前処理容器において前後して分注される検体について分析依頼されている検査項目の種類と、前記回避情報に基づいて、回避の要否を判断して回避指令を発生することを特徴とする自動分析装置。
【請求項４】
請求項３記載の自動分析装置において、
前記検体中に含まれる検査項目の濃度を分析結果として記憶する分析結果記憶部を備え、
前記回避情報記憶部は、前記回避情報のうちのキャリーオーバー回避が必要となる条件として、記憶している前記検査項目毎に、キャリーオーバーの影響を与えるか否かの判定に使用される閾値を記憶し、
前記回避判断部は、前記前処理容器使用履歴記憶部と前記分析依頼情報記憶部とに記憶された、前記検体分注ノズルが検体を分注する予定の前処理容器において前後して分注される検体について分析依頼されている共通の検査項目に関する、当該前処理容器に前に分注された検体の分析結果と、前記回避情報記憶部に記憶された当該検査項目の前記閾値とを比較することで回避の要否を判断して回避指令を発生することを特徴とする自動分析装置。
【請求項５】
請求項２〜４いずれかに記載の自動分析装置において、
前記検体分注ノズルによって吸引可能に配置され、洗浄液を供給する洗浄液供給部を備え、
前記回避情報記憶部は、前記回避情報毎に洗浄液の種類の情報を付け加えて記憶し、
前記検体分注ノズルが検体を分注する予定の前処理容器において前後して分注される検体の情報が、前記回避情報に該当する場合には、前記回避制御部は、前記検体分注ノズルが前記回避情報記憶部に記憶された前記回避情報に基づいた洗浄液を、前記洗浄液供給部から前記回避判断部が前記回避指令を発生した前処理容器に分注するように、前記洗浄液供給部、前記検体分注ノズルを制御することを特徴とする自動分析装置。
【請求項６】
請求項５記載の自動分析装置において、
前記前処理容器に過去に分注された洗浄液の種類に関する情報を記憶する前処理容器洗浄履歴記憶部を備え、
前記回避判断部は、前記検体分注ノズルが検体を分注する予定の前処理容器において前後して分注される検体の情報が前記回避情報に該当する場合に、前記前処理容器洗浄履歴記憶部に記憶された当該前処理容器の過去の洗浄履歴において、当該前処理容器に前回に検体が分注された後に前記回避情報記憶部の前記回避情報に記憶されている洗浄液が分注された履歴が存在する場合は、回避の必要はないと判断し、回避指令を発生させないことを特徴とする自動分析装置。
【発明の詳細な説明】
【技術分野】
【０００１】
本発明は、血液や尿等の検体中に含まれる成分を分析する自動分析装置に関する。
【背景技術】
【０００２】
自動分析装置では、血液や尿等の検体と試薬とが反応容器に分注され、反応容器内で検体と試薬とが反応し、その反応液の吸光度が測定されることで検体中に含まれる特定成分（以下、検査項目と呼ぶ）の分析が行われる。
【０００３】
一般的に、自動分析装置は、水や洗剤等の洗浄液の吐出、吸引を繰り返すことで反応容器を洗浄する反応容器洗浄機構を備え、吸光度の測定が終了した反応液が収容される反応容器は、反応容器洗浄機構によって洗浄され、再使用される。
【０００４】
上述したような、反応容器が自動で洗浄され、再使用される自動分析装置は、使い捨ての反応容器を使用する自動分析装置に比べてランニングコストが安い一方で、反応容器の洗浄が不十分であると、前の分析で使用された検体、試薬、または反応液が持ち越され、次にその反応容器を使用する検体の分析結果値に悪影響が生じる恐れがあるという問題を抱える。検体、試薬、反応液等が持ち越される現象は、一般的にキャリーオーバーと呼ばれる。
【０００５】
例えば、ある検査項目の分析結果値が極端に高い検体（強陽性検体）の分析が行われた反応容器が、次に、当該検査項目の分析結果値が基準範囲内の検体（正常検体）の分析に使用される場合、強陽性検体自体または強陽性検体の反応液が反応容器洗浄機構による通常の洗浄では十分に洗浄されずに次に分析される正常検体の分析に持ち越され、正常検体の分析結果値が本来よりも高くなってしまうことがある。
【０００６】
ところで、近年では、このような自動分析装置での分析の対象とされる検体材料（血清、血漿、尿等）の種類が増加しており、検査項目の中には、検体材料の種類によって含有される検査項目の濃度に大きな差があるものがある。
【０００７】
そのような検査項目について、含有する濃度の大きい（高い分析結果値を与える）検体材料の分析に使用された反応容器が、次に、含有する濃度の小さい（低い分析結果値を与える）検体材料の分析に使用された場合にも、キャリーオーバーが生じうる。
【０００８】
以上のような問題点を解決するために、近年の自動分析装置は、反応容器を介したキャリーオーバーを回避することができる機能を備えている。
【０００９】
特開平５−１７２８２８号公報（特許文献１）では、キャリーオーバーが生じる可能性のある検査項目の組み合わせを予め記憶しておくと共に、反応容器で前回に分析された検査項目を前歴として記憶し、新たな分析が行われる際には、使用する予定の反応容器において前後に分析される検査項目の組み合わせが、前記キャリーオーバーが生じる可能性のある検査項目の組み合わせに該当しないような反応容器を使用するように、反応容器の移送を制御する自動分析装置が提案されている。
【先行技術文献】
【特許文献】
【００１０】
【特許文献１】特開平５−１７２８２８号公報
【発明の概要】
【発明が解決しようとする課題】
【００１１】
自動分析装置の中には、検体が反応容器に分注される前に、検体に対して希釈の前処理を行う検体希釈機構（検体前処理機構の一例）を備えるものがある。一般的に、検体希釈機構は、検体分注機構によって分注される検体と希釈液（前処理液の一例）とを共に収容する希釈容器（前処理容器の一例）と、希釈された検体（希釈検体）を希釈容器から反応容器に分注する希釈検体分注機構（前処理検体分注機構の一例）と、分析が終了して残った希釈検体を収容する希釈容器を洗浄する希釈容器洗浄機構（前処理容器洗浄機構の一例）とを備え、希釈容器は繰り返し使用される。
【００１２】
このような検体希釈機構を備える自動分析装置では、反応容器の他に希釈容器も繰り返し使用されるため、反応容器を介したキャリーオーバーだけではなく、希釈容器を介したキャリーオーバーも生じる恐れがある。
【００１３】
しかしながら、特許文献１に記載の自動分析装置は検体希釈機構を備えることが想定されておらず、特許文献１に希釈容器を介したキャリーオーバーを回避する方法に関しての具体的な記述はない。
【００１４】
本発明は、上記問題点を解決するためになされたものであり、検体希釈機構を備える自動分析装置において、希釈容器を介したキャリーオーバーを回避することができる自動分析装置を提供することを目的とする。
【課題を解決するための手段】
【００１５】
上記課題を解決し、本発明の目的を達成するため、本発明の自動分析装置は、検体を収容する検体容器を複数保持する検体テーブルと、前記検体に対して前処理を施した前処理検体を収容する前処理容器を複数保持する前処理テーブルと、前記前処理検体と試薬を反応させる反応容器を複数保持する反応テーブルと、前記試薬を収容する試薬容器を複数保持する試薬テーブルと、前記検体テーブルに保持された検体容器から前記前処理テーブルに保持された前処理容器へ検体を移送するための検体分注ノズルと、前記前処理テーブルに保持された前処理容器から前記反応テーブルに保持された反応容器に前処理検体を移送するための前処理検体分注ノズルと、前記試薬テーブルから試薬を前記反応容器に移送するための試薬分注ノズルと、を備え、前記前処理容器内で検体に対して前処理を施し、得られた前処理検体と試薬とを前記反応容器内で反応させ、前記検体中の成分を分析する自動分析装置において、前記前処理容器についてキャリーオーバー回避が必要となる条件を含む回避情報を記憶する回避情報記憶部と、前記前処理容器に過去に分注された検体に関する、検体材料の種類と分析依頼された検査項目の種類とを含む情報を記憶する、前処理容器使用履歴記憶部と、新たに分析依頼された検体に関する、検体材料の種類と分析依頼された検査項目の種類とを含む情報を記憶する、分析依頼情報記憶部と、前記前処理容器使用履歴記憶部と前記分析依頼情報記憶部とに記憶された、前記検体分注ノズルが検体を分注する予定の前処理容器において前後して分注される検体の情報と、前記回避情報に基づいて、回避の要否を判断して回避指令を発生する回避判断部と、前記回避判断部からの前記回避指令に基づき、前記検体分注ノズルが当該前処理容器への検体の分注を見送るように、前記検体分注ノズルを制御する回避制御部と、を備えることを特徴とする。
【図面の簡単な説明】
【００１６】
【図１】本発明の実施形態における自動分析装置の概略構成図。
【図２】本発明の実施形態における分注ノズル洗浄機構の概略図。
【図３】本発明の第１実施形態における、希釈容器を介したキャリーオーバーが回避される際の動作について説明するためのフローチャート。
【図４】本発明の第１実施形態におけるキャリーオーバー回避設定画面の表示例。
【図５】本発明の第２実施形態における、希釈容器を介したキャリーオーバーが回避される際の動作について説明するためのフローチャート。
【図６】本発明の第２実施形態におけるキャリーオーバー回避設定画面の表示例。
【図７】本発明の第３実施形態におけるキャリーオーバー回避設定画面の表示例。
【図８】本発明の第４実施形態における、希釈容器の洗浄履歴情報が考慮されて希釈容器を介したキャリーオーバーが回避される際の動作について説明するためのフローチャートの一部。
【発明を実施するための形態】
【００１７】
以下、図１〜図８に基づいて、本発明の実施の形態について説明する。本明細書および各図面において、実質的に同一の構成要素、機能を示すものについては共通の符号を付し、重複する説明は省略する。
【００１８】
＜自動分析装置の構成＞
図１は、本発明の実施形態における自動分析装置１の概略構成図である。
【００１９】
図１に示すように、自動分析装置１は、被検査者から採取された検体と試薬とを反応させ、その反応液の吸光度を測定する測定機構２と、予め定められた一定のサイクル時間を単位として測定機構２の各部の動作を制御する制御機構３に大きく分けられる。
【００２０】
（測定機構２）
測定機構２は、検体と試薬とを反応させる反応容器４を移送する反応ターンテーブル５を中心にして、検体を収容する検体容器６を移送する検体ターンテーブル７、希釈検体を収容する希釈容器８を移送する希釈ターンテーブル９、第１試薬を収容する第１試薬容器１０を移送する第１試薬ターンテーブル１１、および第２試薬を収容する第２試薬容器１２を移送する第２試薬ターンテーブル１３が反応ターンテーブル５の周囲にそれぞれ配置され、さらに各ターンテーブル間で検体、希釈検体、第１試薬、および第２試薬を移送するための後述する４つの分注機構が各テーブル間に配置されて構成される。
【００２１】
中心に配置されている反応ターンテーブル５は、一定周期（例えば３秒サイクル）で所定角度の回転と停止を繰り返し、周囲の分注機構およびターンテーブルもそのサイクルに合わせて、反応ターンテーブル５上の反応容器４に分注等の操作が行えるように各自３秒サイクルで動作を行う。
【００２２】
検体ターンテーブル７と希釈ターンテーブル９の間に配置されている検体分注機構１４は、検体ターンテーブル７の回転と共に吸引位置に移送されてくる検体容器６から、検体分注機構１４に設けられた図示しない検体分注ノズルに検体を吸引し、吸引した検体と検体分注機構１４自体が供給する希釈液を希釈ターンテーブル９の回転に伴って吐出位置に移送される空の希釈容器８に吐出する。
【００２３】
希釈液と検体が吐出された希釈容器８は、次のサイクルにおいて、希釈ターンテーブル９の周囲に配置された希釈撹拌機構１５の位置に停止し、希釈撹拌機構１５は、検体と希釈液を収容した希釈容器８内に図示しない撹拌子を挿入し、撹拌子を回転させることで内部の検体と希釈液とを撹拌する。このようにして、希釈容器８内では、検体が所定倍数の濃度に希釈され、希釈検体が調製される。撹拌子は、希釈検体を撹拌した後、希釈撹拌機構１５の近傍に配置された図示しない撹拌子洗浄機構により洗浄される。
【００２４】
希釈撹拌機構１５によって希釈検体が撹拌されたサイクルと同じサイクルにおいて、第１試薬ターンテーブル１１と反応ターンテーブル５の間に配置されている第１試薬分注機構１６は、第１試薬ターンテーブル１１の回転と共に吸引位置に移送されてくる第１試薬容器１０から、第１試薬分注機構１６に設けられた図示しない第１試薬分注ノズルに第１試薬を吸引し、吸引した第１試薬を反応ターンテーブル５の回転に伴って吐出位置に移送される空の反応容器４に吐出する。
【００２５】
希釈ターンテーブル９と反応ターンテーブル５の間に配置されている希釈検体分注機構１７は、希釈ターンテーブル９の回転と共に吸引位置に移送されてくる希釈容器８から、希釈検体分注機構１７に設けられた図示しない希釈検体分注ノズルに、希釈撹拌機構１５によって撹拌された希釈検体を吸引し、吸引した希釈検体を反応ターンテーブル５の回転に伴って吐出位置に移送される既に第１試薬が分注済みの反応容器４に吐出する。
【００２６】
反応容器４内で第１試薬と希釈検体とが予備反応した後、第２試薬ターンテーブル１３と反応ターンテーブル５の間に配置されている第２試薬分注機構１８は、第２試薬ターンテーブル１３の回転と共に吸引位置に移送されてくる第２試薬容器１２から、第２試薬分注機構１８に設けられた図示しない第２試薬分注ノズルに第２試薬を吸引し、吸引した第２試薬を反応ターンテーブル５の回転に伴って吐出位置に移送される第１試薬と希釈検体との反応液を収容する反応容器４に吐出する。これにより、反応容器４内で本反応が開始される。
【００２７】
希釈検体と試薬との反応液を収容した反応容器４は、反応ターンテーブル５の回転によって、反応ターンテーブル５の周囲に配置された測光機構１９を一定の周期で通過する。測光機構１９は、反応容器４に光を照射する光源ランプ１９ａと、光が照射された反応容器４の内部の吸光度を測定する多波長光度計１９ｂを備え、多波長光度計１９ｂは、一定の周期で通過する反応容器４の内部の吸光度を測定し、その吸光度を制御機構３に出力する。制御機構３は、測光機構１９から入力された、検体と試薬との反応液の吸光度から、検体中に含まれる検査項目の濃度を算出する。
【００２８】
希釈ターンテーブル９の周囲に配置された希釈容器洗浄機構２０は、水や洗剤等の洗浄液を吐出する図示しない洗浄液吐出ノズルと、希釈検体や洗浄液を吸引する図示しない吸引ノズルとを複数備え、分析が終了して希釈検体が残った希釈容器８に対して、吸引ノズルで希釈検体を吸引した後、洗浄液の吐出、吸引を繰り返すことで洗浄を行う。
【００２９】
検体分注機構１４、第１試薬分注機構１６、希釈検体分注機構１７、および第２試薬分注機構１８の近傍に配置されている分注ノズル洗浄機構２１は、検体または試薬を分注する各分注機構に設けられた図示しない分注ノズルの洗浄に使用される。
【００３０】
図２は、本発明の実施形態における分注ノズル洗浄機構２１の概略図である。分注ノズル洗浄機構２１は、図２に示すように、桶状の洗浄槽２２と、洗浄槽２２の側面の内壁側に設けられた洗浄水供給部２３と、洗浄槽２２の底面の内壁側に設けられた２つの洗浄液供給部２４ａ、２４ｂとを備える。洗浄液供給部２４ａ、２４ｂは、分注ノズルの移動軌跡２５上に沿って並べて配置されている。
【００３１】
洗浄水供給部２３は、その吐出口２６に対向する位置に移送された分注ノズルの外壁に水を吐出するように構成されている。洗浄液供給部２４ａ、２４ｂは、それぞれ筒状の形状を有し、その上端からアルカリ洗剤、酸洗剤等の洗浄液を湧き出させ、各洗浄液供給部２４ａ、２４ｂの上方に移送された分注ノズルが洗浄液を吸引可能なように構成されている。本明細書では、洗浄液供給部２４ａからはアルカリ洗剤が、洗浄液供給部２４ｂからは酸洗剤が湧き出すものとする。
【００３２】
（制御機構３）
制御機構３は、測定機構２に接続されている制御部２７、制御部２７にそれぞれ接続されている、入力部２８、検体濃度算出部２９、表示部３０、記憶部３１、および回避判断部３２を備える。
【００３３】
制御部２７は、ＣＰＵ等によって構成されており、測定機構２と制御機構３の各部を含む自動分析装置１全体の制御、および希釈容器８のキャリーオーバー回避動作のための制御を行う。
【００３４】
入力部２８は、検体の分析に必要な情報や、分析動作の指示情報を受け付け、それらの情報を制御部２７に出力する。入力部２８には、マウス、キーボード、タッチパネル等が用いられる。
【００３５】
検体濃度算出部２９は、測光機構１９から制御部２７を経由して入力された、希釈検体と試薬との反応液の吸光度の情報を基にして、検体中に含まれる検査項目の濃度を算出する。
【００３６】
表示部３０は、検体濃度算出部２９で算出された検体中に含まれる検査項目の濃度を分析結果として表示する。また、希釈容器８についてキャリーオーバーの回避が必要となる条件および回避方法を含む回避情報を設定するキャリーオーバー回避設定画面３３を表示する。表示部３０には、ディスプレイ、プリンタ、スピーカー等が用いられる。
【００３７】
記憶部３１は、ハードディスク等の大容量の記録装置によって構成されており、入力部２８によって入力された情報等を記憶する。また、記憶部３１は、キャリーオーバー回避設定画面３３で設定された回避情報を記憶する回避情報記憶部３４と、希釈容器８に過去に分注された検体に関する、検体材料の種類と分析依頼された検査項目の種類とを含む情報を記憶する希釈容器使用履歴記憶部３５（前処理容器使用履歴記憶部の一例）と、新たに分析依頼された検体に関する、検体材料の種類と分析依頼された検査項目の種類とを含む情報を記憶する分析依頼情報記憶部３６と、検体濃度算出部２９で算出された検体中に含まれる検査項目の濃度を分析結果として記憶する分析結果記憶部３７と、希釈容器８に過去に分注された洗浄液の種類に関する情報を記憶する希釈容器洗浄履歴記憶部３８（前処理容器洗浄履歴記憶部の一例）と、を備える。
【００３８】
回避判断部３２は、検体分注ノズルが検体を分注する予定の希釈容器８において前後して分注される検体の情報と、キャリーオーバー回避設定画面３３において設定された回避情報とに基づいて、当該希釈容器８に対するキャリーオーバー回避の動作の要否を判断する。
【００３９】
以上のように構成される自動分析装置１が希釈容器８を介したキャリーオーバーを回避する際の動作の例を以下に示す。
【００４０】
＜第１実施形態＞
図３は、本発明の第１実施形態における、希釈容器８を介したキャリーオーバーが回避される際の動作について説明するためのフローチャートであり、図４は、本発明の第１実施形態におけるキャリーオーバー回避設定画面３３の表示例を示す図である。
【００４１】
図４に示すキャリーオーバー回避設定画面３３は、キャリーオーバーの回避が必要となる条件として、キャリーオーバーを生じうる検体材料の組み合わせを設定する画面例であり、図中のキャリーオーバーの影響を与える検体材料の種類３９、キャリーオーバーの影響を受ける検体材料の種類４０は、予め登録されている検体材料の種類の中から１つが選択されるように構成されている。
【００４２】
以下、検体分注ノズルが検体を分注する予定の希釈容器８において前後して分注される検体の検体材料が、キャリーオーバー回避設定画面３３に回避情報として設定された検体材料の組み合わせに該当する場合（図４の例では、血清検体が分注された希釈容器８に対して、次に尿検体が分注される予定の場合）に、当該希釈容器８に対して行われるキャリーオーバーの回避動作について、図３に記載の各ステップに沿って説明する。
【００４３】
まず、ユーザーによって、分析する検体（以下、新検体と呼ぶ）の分析依頼が行われる（ステップＳ１０１）。ユーザーによって入力される依頼情報は、分析依頼情報記憶部３６に記憶される。
【００４４】
次に、ユーザーによって、新検体に関する分析の開始指示が入力される（ステップＳ１０２）。
【００４５】
次に、ステップＳ１０３〜Ｓ１０５において、検体分注機構１４の吐出位置に移送されてくる希釈容器（Ｎ）に対して、キャリーオーバー回避の動作の要否が判定される。具体的には、希釈容器（Ｎ）に前回に分注された検体（以下、前検体と呼ぶ）の検体材料と新検体の検体材料との組み合わせが、キャリーオーバー回避設定画面３３で設定された回避情報に該当するか否かが判定される（ステップＳ１０３）。
【００４６】
すなわち、回避判断部３２が、希釈容器使用履歴記憶部３５から希釈容器（Ｎ）の前検体の検体材料の情報を、分析依頼情報記憶部３６から新検体の検体材料の情報をそれぞれ読み出し、読み出した希釈容器（Ｎ）において前後して分注される検体の検体材料の組み合わせが、キャリーオーバー回避設定画面３３で回避情報として設定された検体材料の組み合わせに該当するか否かを判定する。
【００４７】
判定の結果、希釈容器（Ｎ）において前後で分注される検体の検体材料の組み合わせが回避情報に該当しない場合（ステップＳ１０３においてＮＯの場合）、回避判断部３２が、希釈容器（Ｎ）に対するキャリーオーバー回避動作は不要と判断し、制御部２７が、新検体を希釈容器（Ｎ）に分注するように検体分注機構１４を制御する（ステップＳ１０４）。
【００４８】
一方で、判定の結果、希釈容器（Ｎ）において前後で分注される検体の検体材料の組み合わせが回避情報に該当する場合（ステップＳ１０３においてＹＥＳの場合）、回避判断部３２が、希釈容器（Ｎ）に対するキャリーオーバー回避動作は必要と判断し、制御部２７に対して回避指令を発生する。そして、制御部２７が、新検体の希釈容器（Ｎ）への分注を見送るように検体分注機構１４を制御する（ステップＳ１０５）。すなわち、本サイクルにおいては、検体分注機構１４は新検体を吸引せず、新検体の希釈検体は調製されない。
【００４９】
ステップＳ１０５において新検体の希釈容器（Ｎ）への分注が見送られた場合は、次のサイクルで検体分注機構１４の吐出位置に移送されてくる希釈容器（Ｎ＋１）に対するキャリーオーバー回避の動作の要否判定が、ステップＳ１０３〜Ｓ１０５と同様にして行われる。
【００５０】
なお、ステップＳ１０５において新検体の分注が見送られた希釈容器（Ｎ）は、空のまま希釈ターンテーブル９の回転と共に移動を続け、所定時間経過して順番が来てから希釈容器洗浄機構２０によって洗浄される。
【００５１】
以上の本第１実施形態によれば、キャリーオーバー回避設定画面３３において回避情報として設定された検体材料の組み合わせが、同じ希釈容器８に前後して分注されることがなくなり、希釈容器８を介したキャリーオーバーは回避される。さらに、回避指令が発生された希釈容器８は、分析に使用されずに残った前検体が希釈容器洗浄機構２０によって洗浄され、その後に新検体の分注が見送られて、空のまま希釈ターンテーブル９上で移動した後に希釈容器洗浄機構２０によって再度洗浄されることで、合計２回洗浄されるため、希釈容器８に残存する前検体が十分に洗浄される。
【００５２】
＜第２実施形態＞
図５は、本発明の第２実施形態における、希釈容器８を介したキャリーオーバーが回避される際の動作について説明するためのフローチャートであり、図６は、本発明の第２実施形態におけるキャリーオーバー回避設定画面３３の表示例を示す図である。
【００５３】
図６に示すキャリーオーバー回避設定画面３３は、キャリーオーバーの回避が必要となる条件として、キャリーオーバーを生じうる検査項目を設定する画面例であり、図中の検査項目名４１は、予め登録されている検査項目の中から１つが選択されるように構成され、閾値４２は、対応する検査項目の分析結果値が強陽性であるか否かを判定するための数値が入力されるように構成され、回避条件４３は、「強陽性」または「毎回」から一つを選択するように構成されている。
【００５４】
検体分注ノズルが検体を分注する予定の希釈容器８において前後して分注される検体に対して分析依頼されている検査項目（以下、依頼項目と呼ぶ）が、キャリーオーバー回避設定画面３３で回避情報として設定された検査項目に該当する際、該当した検査項目に対応する回避条件４３で「強陽性」が選択されていると、当該希釈容器８の前検体の回避情報に該当する検査項目の分析結果値が、回避情報として設定された閾値４２を超える場合（図６の例では、前検体の検査項目Ａの分析結果値が５００を超える場合）に、当該希釈容器８に対してキャリーオーバーの回避動作が行われ、回避条件４３で「毎回」が選択されていると、当該希釈容器８の前検体の回避情報に該当する検査項目の分析結果値に関わらず、当該希釈容器８に対してキャリーオーバーの回避動作が行われる。
【００５５】
以下、検体分注ノズルが検体を分注する予定の希釈容器８において前後して分注される検体の依頼項目が、キャリーオーバー回避設定画面３３で回避情報として設定された検査項目に該当する場合に、当該希釈容器に対して行われるキャリーオーバーの回避動作について、図５に記載の各ステップに沿って説明する。
【００５６】
まず、第１実施形態のステップＳ１０１、Ｓ１０２と同様に、ユーザーによって、新検体の分析依頼が行われ（ステップＳ２０１）、新検体に関する分析の開始指示が入力される（ステップＳ２０２）。
【００５７】
次に、ステップＳ２０３〜Ｓ２１０において、検体分注機構１４の吐出位置に移送されてくる希釈容器（Ｎ）に対して、キャリーオーバー回避の動作の要否が判定される。具体的には、まず、新検体の依頼項目の中に、キャリーオーバー回避設定画面３３で設定された回避情報に該当する検査項目が含まれているか否かが判定される（ステップＳ２０３）。
【００５８】
すなわち、回避判断部３２が、分析依頼情報記憶部３６から新検体の依頼項目の情報を読み出し、新検体の依頼項目の中に、キャリーオーバー回避設定画面３３で回避情報として設定された検査項目が含まれているか否かを判定する。
【００５９】
判定の結果、新検体の依頼項目の中に回避情報として設定された検査項目が含まれていない場合（ステップＳ２０３においてＮＯの場合）、回避判断部３２が、希釈容器（Ｎ）に対するキャリーオーバー回避動作は不要と判断し、制御部２７が、新検体を希釈容器（Ｎ）に分注するように検体分注機構１４を制御する（ステップＳ２０４）。
【００６０】
一方で、判定の結果、新検体の依頼項目の中に回避情報として設定された検査項目が含まれている場合（ステップＳ２０３においてＹＥＳの場合）、希釈容器（Ｎ）の前検体の依頼項目の中に当該回避情報として設定された検査項目が含まれているか否かが判定される（ステップＳ２０５）。
【００６１】
すなわち、回避判断部３２が、希釈容器使用履歴記憶部３５から希釈容器（Ｎ）の前検体の依頼項目情報を読み出し、新検体の依頼項目に含まれている、回避情報に該当する検査項目が、前検体の依頼項目の中に含まれているか否かを判定する。
【００６２】
判定の結果、新検体の依頼項目に含まれている、回避情報に該当する検査項目が、希釈容器（Ｎ）の前検体の依頼項目の中に含まれていない場合（ステップＳ２０５においてＮＯの場合）、回避判断部３２が、希釈容器（Ｎ）に対するキャリーオーバー回避動作は不要と判断し、制御部２７が、新検体を希釈容器（Ｎ）に分注するように検体分注機構１４を制御する（ステップＳ２０６）。
【００６３】
一方で、判定の結果、新検体の依頼項目に含まれている、回避情報に該当する検査項目が、希釈容器（Ｎ）の前検体の依頼項目の中に含まれている場合（ステップＳ２０５においてＹＥＳの場合）、希釈容器（Ｎ）の前検体と新検体の依頼項目に共通する、回避情報に該当する検査項目について、キャリーオーバー回避設定画面３３の回避条件４３において「強陽性」と「毎回」のどちらが選択されているかが確認される（ステップＳ２０７）。
【００６４】
すなわち、回避判断部３２が、回避情報記憶部３４において、希釈容器（Ｎ）の前検体と新検体の依頼項目に共通する、回避情報に該当する検査項目の回避条件４３に「強陽性」と「毎回」のどちらが選択されているかを確認する。
【００６５】
確認の結果、当該回避情報に該当する検査項目のうち、回避条件として「毎回」が選択されているものが１つでも含まれている場合（ステップＳ２０７において「毎回」の場合）、回避判断部３２が、希釈容器（Ｎ）に対するキャリーオーバー回避動作は必要と判断し、制御部２７に対して回避指令を発生する。そして、制御部２７が、新検体の希釈容器（Ｎ）への分注を見送るように検体分注機構１４を制御する（ステップＳ２０８）。すなわち、本サイクルにおいては、検体分注機構１４は新検体を吸引せず、新検体の希釈検体は調製されない。
【００６６】
一方で、確認の結果、当該回避情報に該当する検査項目の全てが、回避条件として「強陽性」が選択されている場合（ステップＳ２０７において「強陽性」の場合）、希釈容器（Ｎ）の前検体と新検体の依頼項目に共通する、回避情報に該当する全ての検査項目について、希釈容器（Ｎ）の前検体の分析結果値が強陽性であるか否かが判定される（ステップＳ２０９）。
【００６７】
すなわち、回避判断部３２が、希釈容器（Ｎ）の前検体に関して、前検体と新検体の依頼項目に共通する、回避情報に該当する全ての検査項目の分析結果値を分析結果記憶部３７から読み出し、その分析結果値の中にキャリーオーバー回避設定画面３３で回避情報として設定された閾値４２を超えるものが１つでも含まれるか否かを判定する。
【００６８】
判定の結果、希釈容器（Ｎ）の前検体の当該回避情報に該当する全ての検査項目の分析結果値が閾値４２を超えない場合（ステップＳ２０９においてＮＯの場合）、回避判断部３２が、希釈容器（Ｎ）の前検体は強陽性検体ではないため、希釈容器（Ｎ）に対するキャリーオーバー回避動作は不要と判断し、制御部２７が、新検体を希釈容器（Ｎ）に分注するように検体分注機構１４を制御する（ステップＳ２１０）。
【００６９】
一方で、判定の結果、希釈容器（Ｎ）の前検体の当該回避情報に該当する検査項目の分析結果値が１つでも閾値４２を超える場合（ステップＳ２０９においてＹＥＳの場合）、回避判断部３２が、希釈容器（Ｎ）の前検体は強陽性検体であるため、希釈容器（Ｎ）に対するキャリーオーバー回避動作は必要と判断し、制御部２７に対して回避指令を発生する。そして、制御部２７が、新検体の希釈容器（Ｎ）への分注を見送るように検体分注機構１４を制御する（ステップＳ２０８）。すなわち、本サイクルにおいては、検体分注機構１４は新検体を吸引せず、新検体の希釈検体は調製されない。
【００７０】
ステップＳ２０８において、新検体の希釈容器（Ｎ）への分注が見送られた場合は、次のサイクルで検体分注機構１４の吐出位置に移送されてくる希釈容器（Ｎ＋１）に対するキャリーオーバー回避の動作の要否判定が、ステップＳ２０５〜Ｓ２１０と同様にして行われる。
【００７１】
なお、ステップＳ２０８において新検体の分注が見送られた希釈容器（Ｎ）は、空のまま希釈ターンテーブル９の回転と共に移動を続け、所定時間経過して順番が来てから希釈容器洗浄機構２０によって洗浄される。
【００７２】
また、ステップＳ２０９において、希釈容器（Ｎ）の前検体の分析結果値が未だ算出されていない場合には、回避判断部３２が、希釈容器（Ｎ）の前検体が強陽性検体であるか否かの判定ができないため、制御部２７が、新検体を希釈容器（Ｎ）に分注するように検体分注機構１４を制御する。その際に、制御部２７は、希釈容器（Ｎ）に分注された新検体の分析結果値は前検体からのキャリーオーバーの影響を受ける可能性があるということをユーザーに示すためのアラームを表示するように表示部３０も制御する。制御部２７は、新検体の分析結果値に上述の内容をユーザーに示すためのフラグを付与してもよい。
【００７３】
以上の本第２実施形態によれば、キャリーオーバー回避設定画面３３において回避情報として設定された検査項目が依頼項目の検体、または当該検査項目について強陽性と判定された検体が分注された希釈容器８に対して、当該検査項目が分析依頼されている検体が分注されることがなくなり、希釈容器８を介したキャリーオーバーは回避される。さらに、回避指令が発生された希釈容器８は、分析に使用されずに残った前検体が希釈容器洗浄機構２０によって洗浄され、その後に新検体の分注が見送られて、空のまま希釈ターンテーブル９上で移動した後に希釈容器洗浄機構２０によって再度洗浄されることで、合計２回洗浄されるため、希釈容器８に残存する前検体が十分に洗浄される。
【００７４】
＜第３実施形態＞
第１実施形態と第２実施形態の変形例として、回避判断部３２が、検体分注ノズルが新検体を分注する予定の希釈容器８に対して、キャリーオーバー回避の動作の要否判定を回避情報に基づいて行った結果、回避指令を発生し、当該希釈容器８への新検体の分注を見送らせる際に、当該希釈容器８に対して洗浄能力の高い特別な洗浄液を分注し、特別な洗浄を行う。
【００７５】
図７は、本発明の第３実施形態におけるキャリーオーバー回避設定画面３３の表示例を示す図であり、図７（ａ）は、第１実施形態のキャリーオーバー回避設定画面３３の変形例、図７（ｂ）は、第２実施形態のキャリーオーバー回避設定画面３３の変形例である。
【００７６】
図７（ａ）および図７（ｂ）に示す洗浄液番号４４は、洗浄液供給部２４が供給可能な洗浄液の種類に紐付けされた番号が入力されるように構成されている。ここで選択される洗浄液の種類が、新検体の分注が見送られる希釈容器８に対して行われる特別洗浄で使用される特別洗浄液の種類となる。本明細書では例として、洗浄液番号１にはアルカリ洗剤、洗浄液番号２には酸洗剤が紐付けられているものとする。
【００７７】
以下、新検体の分注が見送られる希釈容器８に対して特別洗浄が行われる際の動作について説明する。
【００７８】
回避判断部３２が、検体分注機構１４の吐出位置に移送されてくる希釈容器（Ｎ）に対して回避指令を発生した後（第１実施形態ではステップＳ１０５、第２実施形態ではステップＳ２０８）、まず、キャリーオーバー回避設定画面３３で設定された回避情報に基づいた特別洗浄液が洗浄液供給部２４から供給される。
【００７９】
すなわち、制御部２７が、回避情報に基づいて、設定された洗浄液番号４４に紐付けられた特別洗浄液（図７(ａ)および図７（ｂ）の条件番号１に示す例の場合はアルカリ洗剤、図７（ｂ）の条件番号２に示す例の場合は酸洗剤）を湧き出させるように洗浄液供給部２４（図７(ａ)および図７（ｂ）の条件番号１に示す例の場合は洗浄液供給部２４ａ、図７（ｂ）の条件番号２に示す例の場合は洗浄液供給部２４ｂ）を制御する。
【００８０】
次に、検体分注ノズルによって、洗浄液供給部２４から回避指令が発生された希釈容器（Ｎ）に対して回避情報に基づいた特別洗浄液が分注される。すなわち、制御部２７が、検体分注ノズルが回避情報に基づいた特別洗浄液が湧き出す洗浄液供給部２４から特別洗浄液を吸引した後、希釈ターンテーブル９の回転によって吐出位置に移送されてくる回避指令が発生された希釈容器（Ｎ）に吸引した特別洗浄液を吐出するように検体分注機構１４を制御する。
【００８１】
そして、第１実施形態、第２実施形態で述べたように、次に検体分注機構１４の吐出位置に移送されてくる希釈容器（Ｎ＋１）に対する、キャリーオーバー回避の動作の要否判定が行われる。
【００８２】
以上の第３実施形態によれば、希釈容器８を介したキャリーオーバーを回避することができるだけではなく、回避指令が発生された希釈容器８に残存する希釈された前検体を十分に洗浄することができる。
【００８３】
なお、キャリーオーバー回避の動作の要否が判定される希釈容器８において前後して分注される検体が、キャリーオーバー回避設定画面３３で設定されたキャリーオーバーの回避が必要となる条件に複数当てはまり、かつ条件毎に対応する特別洗浄液の種類が異なる場合には、当該希釈容器８は選択されている全ての特別洗浄液で洗浄される。
【００８４】
例えば、キャリーオーバー回避の動作の要否が判定される希釈容器８において前後して分注される検体の検体材料および依頼項目が、図７（ａ）の条件番号１、図７（ｂ）の条件番号１、２全てに該当する場合、各条件に対応する洗浄液番号は１または２となり、対応する特別洗浄液の種類が異なる。
【００８５】
そのため、このような場合においては、先述した動作に従い、まず新検体の分注が見送られる希釈容器８に対して、洗浄液番号１に紐付けられたアルカリ洗剤が分注される。そして、アルカリ洗剤が分注された希釈容器８は希釈ターンテーブル９の回転と共に移動を続け、所定時間経過して順番が来てから希釈容器洗浄機構２０によって洗浄される。
【００８６】
その後、当該希釈容器８が次に検体分注機構１４の吐出位置に移送されてくる際に、その希釈容器８に対して洗浄液番号２に紐付けられた酸洗剤が分注される。そして、アルカリ洗剤が分注された場合と同様にして、その希釈容器８は所定時間経過後に希釈容器洗浄機構２０によって洗浄される。ただし、希釈容器８に分注される特殊洗浄液の種類の順番は問わない。
【００８７】
＜第４実施形態＞
本第４実施形態の自動分析装置１は、第３実施形態の変形例として、回避情報として特別洗浄液が設定可能なキャリーオーバー回避設定画面３３と、希釈容器８に過去に分注された洗浄液の種類に関する情報を記憶する希釈容器洗浄履歴記憶部３８とを備え、回避判断部３２が、検体分注ノズルが新検体を分注する予定の希釈容器８に対して、キャリーオーバー回避の動作の要否判定を行う際に、前検体が分注された以降の当該希釈容器８に関する洗浄履歴情報を考慮して判定する。
【００８８】
図８は、本発明の第４実施形態における、希釈容器８の洗浄履歴情報が考慮されて希釈容器８を介したキャリーオーバーが回避される際の動作について説明するためのフローチャートの一部であり、検体分注ノズルが検体を分注する予定の希釈容器８に対して前後して分注される検体の検体材料の種類と回避情報に基づいてキャリーオーバー回避動作の要否が判断される場合（第１実施形態と同様の場合）の動作と、同じく、前後して分注される検体の依頼項目の種類と回避情報に基づいてキャリーオーバー回避動作の要否が判断される場合（第２実施形態と同様の場合）の動作について示している。
【００８９】
なお、第１実施形態と同様の場合は第１実施形態のステップＳ１０４までが共通の動作となり、第２実施形態と同様の場合は第２実施形態のステップＳ２０６までが共通の動作となり、それぞれ先述の実施形態と重複する動作に関する図８中の動作ステップの表記と本明細書での説明を省略する。
【００９０】
以下、希釈容器８の洗浄履歴情報が考慮されて希釈容器８を介したキャリーオーバーが回避される際の動作に関して、図８記載の各ステップに沿って説明する。
【００９１】
第１実施形態と同様な場合では、検体分注ノズルが新検体を分注する予定の希釈容器（Ｎ）において前後で分注される検体の検体材料の組み合わせが、回避情報に該当すると判定された後（図３ステップＳ１０３においてＹＥＳの場合）、第２実施形態と同様な場合では、検体分注ノズルが新検体を分注する予定の希釈容器（Ｎ）の前検体の依頼項目の中に、新検体の依頼項目の中に含まれている回避情報に該当する検査項目が含まれていると判定された後（図８ステップＳ２０５においてＹＥＳの場合）、前検体が分注された以降の希釈容器（Ｎ）に対して回避情報として設定された特別洗浄液が分注されたか否かが判定される（ステップＳ４０１）。
【００９２】
すなわち、回避判断部３２が、希釈容器洗浄履歴記憶部３８から希釈容器（Ｎ）の洗浄履歴情報を読み出し、前検体が分注された以降の希釈容器（Ｎ）に対してキャリーオーバー回避設定画面３３で回避情報として設定された特別洗浄液が分注された履歴が、読み出した履歴情報に存在するか否かを判定する。
【００９３】
判定の結果、前検体が分注された以降の希釈容器（Ｎ）に対して回避情報として設定された特別洗浄液が分注された履歴が存在する場合（ステップＳ４０１においてＹＥＳの場合）、回避判断部３２が、希釈容器（Ｎ）は十分に洗浄され、希釈容器（Ｎ）に対するキャリーオーバー回避動作は不要と判断し、制御部２７が、新検体を希釈容器（Ｎ）に分注するように検体分注機構１４を制御する（ステップＳ４０２）。
【００９４】
以上のステップＳ４０１、Ｓ４０２は、第1実施形態と同様の場合と第２実施形態と同様の場合とで共通の動作である。
【００９５】
一方で、判定の結果、前検体が分注された以降の希釈容器（Ｎ）に対して回避情報として設定された特別洗浄液が分注された履歴が存在しない場合（ステップＳ４０１においてＮＯの場合）、第１実施形態と同様の場合では、回避判断部３２が、希釈容器（Ｎ）に対するキャリーオーバー回避動作は必要と判断し、制御部２７に対して回避指令を発生する。そして、制御部２７が、新検体の希釈容器（Ｎ）への分注を見送るように検体分注機構１４を制御する（図３ステップＳ１０５）すなわち、本サイクルにおいては、検体分注機構１４は新検体を吸引せず、新検体の希釈検体は調製されない。
【００９６】
同じく、第２実施形態と同様の場合では、次に、希釈容器（Ｎ）の前検体と新検体の依頼項目に共通する、回避情報に該当する検査項目について、キャリーオーバー回避設定画面３３の回避条件４３として「強陽性」と「毎回」のどちらが選択されているかが確認され（図５ステップＳ２０７）、以降の動作は第２実施形態のステップＳ２０７〜Ｓ２１０に従う。
【００９７】
以上の本第４実施形態によれば、例えば、検体分注ノズルが新検体を分注する予定の希釈容器８において、前検体が分注されて分析された後に、希釈容器８の洗浄を含む保守作業が行われ、当該希釈容器８に対して十分な洗浄が行われていた場合に、前検体と新検体が回避情報に該当していたとしても無駄に新検体の当該希釈容器８に対する分注を見送る必要がなくなる。
【符号の説明】
【００９８】
１：自動分析装置、２：測定機構、３：制御機構、４：反応容器、５：反応ターンテーブル、６：検体容器、７：検体ターンテーブル、８：希釈容器、９：希釈ターンテーブル、１１：第１試薬ターンテーブル、１３：第２試薬ターンテーブル、１４：検体分注機構、１７：希釈検体分注機構、２０：希釈容器洗浄機構、２１：分注ノズル洗浄機構、２７：制御部、２８：入力部、２９：検体濃度算出部、３０：表示部、３１：記憶部、３２：回避判断部、３３：検体間キャリーオーバー回避設定画面、３４：回避情報記憶部、３５：希釈容器使用履歴記憶部、３６：分析依頼情報記憶部、３７：分析結果記憶部、３８：希釈容器洗浄履歴記憶部
【図１】
2019211329.tif 000003
【図２】
2019211329.tif 000004
【図３】
2019211329.tif 000005
【図４】
2019211329.tif 000006
【図５】
2019211329.tif 000007
【図６】
2019211329.tif 000008
【図７】
2019211329.tif 000009
【図８】
2019211329.tif 000010